(57)【要約】【課題】籾殻導入案内部材に地表面と穿入跡溝の内側面とのなす開口角縁部を圧潰拡開して開口角縁部に拡開斜面部を形成可能な圧潰拡開部を設けてなるから、地表面と穿入跡溝の内側面とのなす開口角縁部は圧潰拡開部により圧潰拡開されて拡開斜面部に形成され、拡開斜面部の存在により籾殻を穿入跡溝及び縦口路に確実に導入落下案内することができる。【解決手段】籾殻給送機構２５は籾殻Ｃを収容可能な籾殻容器２６及び、籾殻容器からの籾殻を穿入跡溝Ｓ及び縦口路Ｔ内に落下給送可能な落下給送路２７ａをもつ給送路部材２７からなり、給送路部材から落下してくる籾殻を穿入跡溝及び縦口路に導入案内可能な籾殻導入案内部材３０を設け、籾殻導入案内部材に地表面Ｍと穿入跡溝の内側面とのなす開口角縁部Ｑを圧潰拡開して開口角縁部に拡開斜面部Ｑ１を形成可能な圧潰拡開部３１を設けてなる。【選択図】図１６
2019083785.tif 000002
【特許請求の範囲】
【請求項１】
走行機体に連結機構により機枠を連結し、該機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、該拡張部材を拡張動作させる拡張機構を配設し、該穿入跡溝及び該縦口路内に籾殻を給送可能な籾殻給送機構を設け、該籾殻給送機構は上記籾殻を収容可能な籾殻容器及び、該籾殻容器からの籾殻を上記穿入跡溝及び上記縦口路内に落下給送可能な落下給送路をもつ給送路部材からなり、上記給送路部材から落下してくる籾殻を上記穿入跡溝及び上記縦口路に導入案内可能な籾殻導入案内部材を設け、該籾殻導入案内部材に上記地表面と該穿入跡溝の内側面とのなす開口角縁部を圧潰拡開して該開口角縁部に拡開斜面部を形成可能な圧潰拡開部を設けてなることを特徴とする圃場縦口路形成装置。
【請求項２】
上記給送路部材は断面略半円弧状に形成されていることを特徴とする請求項１記載の圃場縦口路形成装置。
【請求項３】
上記籾殻導入案内部材は上記穿入跡溝内に挿通可能な板厚の板材からなり、上記圧潰拡開部は進行方向後方位置に向かうに従って次第に上記拡開斜面部を拡開形成可能な勾配板面からなることを特徴とする請求項１又は２記載の圃場縦口路形成装置。
【請求項４】
上記籾殻容器に上記給送路部材の落下給送路に連通する落下口部を形成し、該落下口部を開閉調節可能な開閉調節機構を設けてなることを特徴とする請求項１〜３のいずれか１項に記載の圃場縦口路形成装置。
【請求項５】
上記籾殻容器内に籾殻を攪拌可能な攪拌部材を水平回転自在に設けてなることを特徴とする請求項１〜４のいずれか１項に記載の圃場縦口路形成装置。
【発明の詳細な説明】
【技術分野】
【０００１】
本発明は例えば水田や畑の圃場土中に縦口路を形成する圃場縦口路形成装置に関するものである。
【背景技術】
【０００２】
従来、この種の圃場縦口路形成装置として、走行機体に連結機構により機枠を連結し、機枠に穿入ビームを揺振機構により進行方向に揺振動作自在に縦設し、穿入ビームの進行方向後方位置に穿入ビームにより圃場土中の上下方向に延びて形成される穿入跡溝の側面を拡張して地表面に開口する縦口路を形成可能な拡張部材を設け、拡張部材を拡張動作させる拡張機構を配設し、穿入跡溝及び縦口路内に籾殻を給送可能な籾殻給送機構を設け、籾殻給送機構は上記籾殻を収容可能な籾殻容器及び、該籾殻容器からの籾殻を上記穿入跡溝及び上記縦口路内に落下給送可能な落下給送路をもつ給送路部材からなる構造のものが知られている。
【０００３】
しかして、水田等は表層の耕耘層、その下層の耕盤層、さらに下層の芯土層からなり、この耕耘層、耕盤層及び芯土層に穿入ビームを穿入進行させ、耕盤層を破って穿入跡溝が形成され、拡張部材により圃場土中の上下方向に延びて形成される穿入跡溝の側面を拡張して地表面に開口する縦口路が形成され、かつ、籾殻容器内の籾殻を籾殻給送機構の給送路部材を介して穿入跡溝及び縦口路に給送することができ、穿入跡溝及び縦口路内に籾殻が詰入され、籾殻の存在により穿入跡溝及び縦口路の開口からの地表面の泥土の進入や縦口路の内面の泥土窄口により穿入跡溝及び縦口路が閉塞されることを抑制することができ、地表面の水は穿入跡溝及び縦口路の開口から籾殻間の空隙を介して芯土層に至ることになり、圃場の排水性及び通気性を良好に保持することができ、水はけの良化、水管理、田面の乾田化、微生物繁殖の活性化、水稲等の根の深部への生育を良化することができる。
【先行技術文献】
【特許文献】
【０００４】
【特許文献１】特開２０１７−６０３８
【発明の概要】
【発明が解決しようとする課題】
【０００５】
しかしながら上記従来構造の場合、上記穿入跡溝及び上記縦口路は圃場の地表面に比較的小さな断面積のままに開口形成されているから、籾殻容器内の籾殻を給送路部材の下端部から落下してくる穿入跡溝及び縦口路内に確実に導入することが困難なことがあり、このため、上記籾殻が存在することによる穿入跡溝及び縦口路の閉塞抑制効果を十分に得ることができず、上記穿入跡溝及び上記縦口路の地表面への開口が圃場表面の泥土により閉塞され、圃場の地表面から芯土層までの距離が比較的長いこともあって、圃場の排水性及び通気性を低下させることがあるという不都合を有している。
【課題を解決するための手段】
【０００６】
本発明はこのような不都合を解決することを目的とするもので、本発明のうちで、請求項１記載の発明は、走行機体に連結機構により機枠を連結し、該機枠に穿入ビームを揺振機構により進行方向に揺振動作自在に縦設し、該穿入ビームの進行方向後方位置に該穿入ビームにより圃場土中の上下方向に延びて形成される穿入跡溝の側面を拡張して地表面に開口する縦口路を形成可能な拡張部材を設け、該拡張部材を拡張動作させる拡張機構を配設し、該穿入跡溝及び該縦口路内に籾殻を給送可能な籾殻給送機構を設け、該籾殻給送機構は上記籾殻を収容可能な籾殻容器及び、該籾殻容器からの籾殻を上記穿入跡溝及び上記縦口路内に落下給送可能な落下給送路をもつ給送路部材からなり、上記給送路部材から落下してくる籾殻を上記穿入跡溝及び上記縦口路に導入案内可能な籾殻導入案内部材を設け、該籾殻導入案内部材に上記地表面と該穿入跡溝の内側面とのなす開口角縁部を圧潰拡開して該開口角縁部に拡開斜面部を形成可能な圧潰拡開部を設けてなることを特徴とする圃場縦口路形成装置にある。
【０００７】
又、請求項２記載の発明は、上記給送路部材は断面略半円弧状に形成されていることを特徴とするものであり、又、請求項３記載の発明は、上記籾殻導入案内部材は上記穿入跡溝内に挿通可能な板厚の板材からなり、上記圧潰拡開部は進行方向後方位置に向かうに従って次第に上記拡開斜面部を拡開形成可能な勾配板面からなることを特徴とするものである。
【０００８】
又、請求項４記載の発明は、上記籾殻容器に上記給送路部材の落下給送路に連通する落下口部を形成し、該落下口部を開閉調節可能な開閉調節機構を設けてなることを特徴とするものであり、又、請求項５記載の発明は、上記籾殻容器内に籾殻を攪拌可能な攪拌部材を水平回転自在に設けてなることを特徴とするものである。
【発明の効果】
【０００９】
本発明は上述の如く、請求項１記載の発明にあっては、走行機体の進行に伴い穿入ビームは進行方向に揺振動作しつつ圃場土中に穿入して穿入跡溝を形成し、上記穿入ビームの進行方向後方位置に配置された拡張部材は拡張機構により拡張動作し、穿入ビームにより圃場土中の上下方向に延びて形成される穿入跡溝を拡張して地表面に開口する縦溝状の縦口路を形成することになり、上記縦口路内に籾殻を給送可能な籾殻給送機構を設けているから、籾殻を籾殻給送機構により穿入跡溝及び縦口路に給送することができ、穿入跡溝及び縦口路に籾殻が給送されることにより穿入跡溝及び縦口路内に籾殻が詰入され、籾殻の存在により穿入跡溝及び縦口路の開口からの地表面の泥土の進入や縦口路の内面の泥土窄口により穿入跡溝及び縦口路が閉塞されることを抑制することができ、地表面の水は穿入跡溝及び縦口路の開口から籾殻間の空隙を介して芯土層に至ることになり、圃場の排水性及び通気性を良好に保持することができ、水はけの良化、水管理、田面の乾田化、微生物繁殖の活性化、水稲等の根の深部への生育を良化することができ、かつ、この際、上記籾殻給送機構は、上記籾殻を収容可能な籾殻容器及び、籾殻容器からの籾殻を上記穿入跡溝及び上記縦口路内に落下給送可能な落下給送路をもつ給送路部材からなるので、籾殻容器内の籾殻を給送路部材の落下給送路により上記穿入跡溝及び上記縦口路内に確実に落下給送することができ、かつ、上記給送路部材から落下してくる籾殻を上記穿入跡溝及び上記縦口路に導入案内可能な籾殻導入案内部材を設けているから、上記給送路部材から落下してくる籾殻を上記籾殻導入案内部材により上記穿入跡溝及び上記縦口路に確実に導入落下案内することができ、さらに、上記籾殻導入案内部材に上記地表面と穿入跡溝の内側面とのなす開口角縁部を圧潰拡開して開口角縁部に拡開斜面部を形成可能な圧潰拡開部を設けてなるから、上記地表面と穿入跡溝の内側面とのなす開口角縁部は圧潰拡開部により圧潰拡開されて拡開斜面部に形成され、拡開斜面部の存在により籾殻を上記穿入跡溝及び上記縦口路に確実に導入落下案内することができる。
【００１０】
又、請求項２記載の発明にあっては、上記給送路部材は断面略半円弧状に形成されているから、断面略半円弧状の雨樋状に形成され、管状のものに比べ、籾殻の詰まり現象が抑制され、断面略半円弧状の落下給送路により上記穿入跡溝及び上記縦口路内に確実に落下給送することができ、又、請求項３記載の発明にあっては、上記籾殻導入案内部材は上記穿入跡溝内に挿通可能な板厚の板材からなり、上記圧潰拡開部は進行方向後方位置に向かうに従って次第に上記拡開斜面部を拡開形成可能な勾配板面からなるので、上記圧潰拡開部により拡開斜面部を確実に形成することができ、拡開斜面部の存在により籾殻を上記穿入跡溝及び上記縦口路に確実に導入落下案内することができる。
【００１１】
又、請求項４記載の発明にあっては、上記籾殻容器に上記給送路部材の落下給送路に連通する落下口部を形成し、落下口部を開閉調節可能な開閉調節機構を設けているから、開閉調節機構により落下口部からの籾殻の給送、停止及び給送量の調節を行うことができ、上記穿入跡溝及び上記縦口路内への籾殻の落下給送量を調節することができ、走行機体の作業進行速度、穿入跡溝及び縦口路の大きさに対応することができ、又、請求項５記載の発明にあっては、上記籾殻容器内に籾殻を攪拌可能な攪拌部材を水平回転自在に設けているから、籾殻容器内の籾殻を落下口部から給送路部材を介して上記穿入跡溝及び上記縦口路内へ円滑に落下させることができる。
【図面の簡単な説明】
【００１２】
【図１】本発明の実施の形態例の全体側面図である。
【図２】本発明の実施の形態例の拡大側面図である。
【図３】本発明の実施の形態例の拡大平面図である。
【図４】本発明の実施の形態例の拡大後面図である。
【図５】本発明の実施の形態例の部分拡大側断面図である。
【図６】本発明の実施の形態例の部分正断面図である。
【図７】本発明の実施の形態例の部分側断面図である。
【図８】本発明の実施の形態例の部分正断面図である。
【図９】本発明の実施の形態例の部分平断面図である。
【図１０】本発明の実施の形態例の部分平断面図である。
【図１１】本発明の実施の形態例の部分拡大平断面図である。
【図１２】本発明の実施の形態例の部分拡大側断面図である。
【図１３】本発明の実施の形態例の説明平断面図である。
【図１４】本発明の実施の形態例の部分拡大側面図である。
【図１５】本発明の実施の形態例の部分後断面図である。
【図１６】本発明の実施の形態例の部分斜視図である。
【図１７】本発明の実施の形態例の説明平面図である。
【発明を実施するための形態】
【００１３】
図１乃至図１７は本発明の実施の形態例を示し、１は走行機体であって、この場合、トラクタが用いられ、図１、図３の如く、走行機体１の後部に三点リンク式の連結機構２により機枠３を上下動可能に連結して構成している。
【００１４】
この場合、上記連結機構２は、図１、図２、図３の如く、上記走行機体１の後部に左右の下部リンク２ａ・２ａ、上部リンク２ｂ、吊上リンク２ｃ・２ｃ及び油圧アーム２ｄ・２ｄからなる三点リンク機構が設けられ、この三点リンク機構により走行機体１に機枠３を連結し、三点リンク機構の油圧アーム２ｄ・２ｄの上下揺動により機枠３を上下動自在に設けて構成している。
【００１５】
４は穿入ビーム、５は揺振機構であって、この場合、図２、図５の如く、機枠３に揺動アーム６の中程部を支点軸７により揺振動作自在に枢着すると共に機枠３に主軸８を軸受８ａ・８ａにより回転自在に横設し、揺動アーム６の進行方向後部に穿入ビーム４を取付け、主軸８とトラクタの動力取出軸１ａとを自在継手９により連結し、主軸８と揺動アーム６の進行方向前部との間に偏心輪機構１０を介装し、この場合、図７、図８、図９の如く、偏心輪機構１０として、上記主軸８の軸受８ａ・８ａ間に偏心軸部１０ａを形成し、偏心軸部１０ａの中心軸線は主軸８の回転軸線に対して偏心量εだけ偏心し、偏心軸部１０ａに接続部材１０ｂの上側の軸受１０ｃを嵌合し、接続部材１０ｂの下側の軸受１０ｄに揺動アーム６の基軸６ａを嵌挿し、揺動アーム６をガイドロール６ｂ・６ｂ及びガイド片３ａ・３ａにより上下揺動案内し、主軸８の回転により偏心輪機構１０を介して揺動アーム６を支点軸７を中心として上下揺振動作させ、揺動アーム６の後端部に穿入ビーム４を上下方向に取付けて構成している。
【００１６】
しかして、走行機体１の進行に伴い穿入ビーム４は揺振機構５により進行方向に揺振動作しつつ圃場土中Ｗに穿入して穿入跡溝Ｓを形成することになる。
【００１７】
１４は拡張部材、１５は拡張機構であって、この場合、図２の如く、この拡張部材１４は上記穿入ビーム４の進行方向後方位置としての縦口路形成位置Ｄに配設され、穿入ビーム４により圃場土中Ｗの上下方向に延びて形成される穿入跡溝Ｓの一方側面を拡張して地表面Ｍに開口する縦口路Ｔを形成可能に設けられ、この拡張機構１５にあっては、図１０、図１３の如く、拡張部材１４を進行方向後方向きの非拡張位置Ｋから進行方向側方向き、この場合、進行方向後方向きからθ＝略８０°振った側方向きの拡張位置Ｇに間欠的に強制拡張動作させるように構成している。
【００１８】
この場合、上記拡張機構１５として、図２の如く、上記機枠３の後部に軸受筒体１６を縦設し、軸受筒体１６に軸状体１７を縦回り回動自在に縦設し、軸受筒体１６の前部及び後部に穿入跡溝Ｓより幅狭の板状の軸受片体１８・１８を形成し、軸状体１７の下端部に拡張部材１４の上部を取付け、拡張部材１４の下部を軸受片体１８・１８に支持ピン１８ａにより回転自在に軸受し、拡張部材１４には羽根板状の突状体１４ａが上下に延びて形成され、又、この場合、図２、図４の如く、拡張機構１５として、間欠拡張機構１５ａが用いられ、この場合、上記機枠３に減速機構１９を取付け、減速機構１９の入力軸１９ａと主軸８とを継手８ｂにより連結し、減速機構１９の出力軸１９ｂに旋回アーム２０を取付け、旋回アーム２０に押動ロール２１を植設し、軸状体１７の上端部に押動ロール２１により押圧可能な係合爪部材２２を水平突設している。
【００１９】
しかして、図２、図１０の如く、主軸８の回転により減速機構１９の出力軸１９ｂが回転し、出力軸１９ｂの回転により旋回アーム２０が矢印方向に水平旋回し、旋回アーム２０の押動ロール２１は係合爪部材２２を係合押動し、この押動により拡張部材１４は強制的に所定角度縦回り回動し、これにより、図１０、図１７の如く、縦口路Ｔが拡張形成され、更なる回動により押動ロール２１が係合爪部材２２から離反すると、拡張部材１４の羽根板状の突状体１４ａは穿入ビーム４の穿入跡溝Ｓの側面に当接して戻り復帰回動し、拡張部材１４の突状体１４ａは間欠的に所定角度往復回動し、穿入ビーム４により圃場土中Ｗの上下方向に延びて形成される穿入跡溝Ｓの一方側面を拡張して地表面Ｍに開口する縦口路Ｔを形成することになる。
【００２０】
２３は予溝切体であって、図６の如く、上記機枠３に取付片２３ａ・２３ａを垂設し、取付片２３ａ・２３ａに予溝切体２３を車軸２３ｂにより回転自在に取付け、穿入ビーム４の進行方向前方位置に予条溝Ｆを形成するように構成している。
【００２１】
２４は転輪体であって、この場合、図２、図４の如く、上記機枠３の左右両側位置に取付アーム２４ａ・２４ａを高低調節機構２４ｂにより高低調節自在に配置し、田面等の地表面Ｍに転輪体２４・２４を接地させ、機枠３の安定走行及び穿入跡溝Ｓの地表面Ｍからの形成高さの設定を図るように構成している。
【００２２】
２５は籾殻給送機構であって、上記穿入跡溝Ｓ及び上記縦口路Ｔ内に籾殻Ｃを給送可能に構成され、この場合、図２、図３、図４の如く、上記籾殻給送機構２５は上記籾殻Ｃを収容可能な籾殻容器２６及び籾殻容器２６からの籾殻Ｃを上記穿入跡溝Ｓ及び上記縦口路Ｔ内に落下給送可能な落下給送路２７ａをもつ給送路部材２７からなり、この場合、給送路部材２７は可撓性を有する合成樹脂により形成され、断面略半円弧状に折曲形成され、所謂、雨樋状に形成されている。
【００２３】
この場合、図２、図３、図１０、図１１の如く、上記籾殻容器２６は円筒容器状に形成され、上記機枠３の進行方向後部に円盤状の取付板体２５ａを取付け、取付板体２５ａに籾殻容器２６を取付け、籾殻容器２６の上部開口部は籾殻Ｃを投入可能な投入口２６ａとされ、底面に落下口部２６ｂが形成され、落下口部２６ｂの縁部に取付縁片２６ｃが形成され、取付縁片２６ｃに上記給送路部材２７の上端部が固定接続され、かつ、上記減速機構１９の出力軸１９ｂを籾殻容器２６の中心に突出配置し、出力軸１９ｂに籾殻Ｃを攪拌可能な攪拌部材２８を固定して上記籾殻容器２６内に攪拌部材２８を水平回転自在に設けて構成している。
【００２４】
２９は開閉調節機構であって、この場合、図１０、図１１、図１２の如く、上記取付板体２５ａに支点ピン２９ａを垂設し、支点ピン２９ａに開閉調節板２９ｂの中程部を枢着して開閉調節板２９ｂを水平旋回自在に設け、支点ピン２９ａに開閉調節板２９ｂを落下口部２６ｂに弾圧するバネ部材２９ｃを巻装し、取付板体２５ａに閉位置、中間位置及び開位置の三位置に係止溝２９ｄを有する弧状の係止板２９ｅを固定し、開閉調節板２９ｂの基部のハンドル２９ｆをバネ部材に２９ｃに抗して押下旋回し、各係止溝２９ｄに係止して落下口部２６ｂを閉位置、中間位置及び開位置に開閉調節自在に設けて構成している。
【００２５】
３０は籾殻導入案内部材であって、上記給送路部材２７の下端部から落下してくる籾殻Ｃを上記穿入跡溝Ｓ及び上記縦口路Ｔに導入案内可能に設けられ、この場合、図４、図５、図１３、図１４、図１５、図１６の如く、上記軸受筒体１６の後部に突出形成された板状の軸受片体１８に取り付けられ、籾殻導入案内部材３０は上記穿入跡溝Ｓ内に挿通可能な板厚の板材からなり、板材からなる籾殻導入案内部材３０の上部に外方に折曲した折曲部分Ｂを形成して上記給送路部材２７の下端部から落下してくる籾殻Ｃを上記穿入跡溝Ｓ及び上記縦口路Ｔに導入案内可能な導入案内斜面３０ａが形成されている。
【００２６】
３１は圧潰拡開部であって、上記籾殻導入案内部材３０に設けられ、上記地表面Ｍと穿入跡溝Ｓの内側面とのなす開口角縁部Ｑを圧潰拡開して開口角縁部Ｑに拡開斜面部Ｑ１を形成可能に設けられ、この場合、図１３、図１４、図１５、図１６の如く、上記圧潰拡開部３１は上記籾殻導入案内部材３０の上部を進行方向後方に向かうに従って後下がりの三角形状に外方に折曲した折曲部分Ｂを形成して進行方向後方位置に向かうに従って次第に拡開斜面部Ｑ１を拡開形成可能な勾配板面３１ａから構成されている。すなわち、この場合、上記圧潰拡開部３１の上部の折曲部分Ｂの穿入跡溝Ｓ側の内面は籾殻Ｃを上記穿入跡溝Ｓ及び上記縦口路Ｔに導入案内可能な上記導入案内斜面３０ａに形成され、上記圧潰拡開部３１の上部の折曲部分Ｂの穿入跡溝Ｓと反対側の外面は進行方向後方位置に向かうに従って次第に拡開斜面部Ｑ１を拡開形成可能な勾配板面３１ａに形成され、しかして、上記籾殻導入案内部材３０の上部の三角状の折曲部分Ｂは内面の導入案内斜面３０ａ及び外面の圧潰拡開部３１としての勾配板面３１ａを兼用して構成している。
【００２７】
この実施の形態例は上記構成であるから、図２の如く、走行機体１の進行に伴い穿入ビーム４は進行方向に揺振動作しつつ圃場土中Ｗに穿入して穿入跡溝Ｓを形成し、上記穿入ビーム４の進行方向後方位置に配置された拡張部材１４は拡張機構１５により拡張動作し、穿入ビーム４により圃場土中Ｗの上下方向に延びて形成される穿入跡溝Ｓを拡張して地表面Ｍに開口する縦溝状の縦口路Ｔを形成することになる。
【００２８】
この場合、上記縦口路Ｔ内に籾殻Ｃを給送可能な籾殻給送機構２５を設けているから、籾殻Ｃを籾殻給送機構２５により穿入跡溝Ｓ及び縦口路Ｔに給送することができ、穿入跡溝Ｓ及び縦口路Ｔに籾殻Ｃが給送されることにより穿入跡溝Ｓ及び縦口路Ｔ内に籾殻Ｃが詰入され、籾殻Ｃの存在により穿入跡溝Ｓ及び縦口路Ｔの開口からの地表面Ｍの泥土の進入や縦口路Ｔの内面の泥土窄口により穿入跡溝Ｓ及び縦口路Ｔが閉塞されることを抑制することができ、地表面Ｍの水は穿入跡溝Ｓ及び縦口路Ｔの開口から籾殻Ｃ間の空隙を介して芯土層に至ることになり、圃場の排水性及び通気性を良好に保持することができ、水はけの良化、水管理、田面の乾田化、微生物繁殖の活性化、水稲等の根の深部への生育を良化することができる。
【００２９】
この場合、上記籾殻給送機構２５は、図４、図５の如く、上記籾殻Ｃを収容可能な籾殻容器２６及び、籾殻容器２６からの籾殻Ｃを上記穿入跡溝Ｓ及び上記縦口路Ｔ内に落下給送可能な落下給送路２７ａをもつ給送路部材２７からなるので、籾殻容器２６内の籾殻Ｃを給送路部材２７の落下給送路２７ａにより上記穿入跡溝Ｓ及び上記縦口路Ｔ内に確実に落下給送することができ、かつ、図１４、図１５、図１６の如く、上記給送路部材２７から落下してくる籾殻Ｃを上記穿入跡溝Ｓ及び上記縦口路Ｔに導入案内可能な籾殻導入案内部材３０を設けているから、上記給送路部材２７から落下してくる籾殻Ｃは籾殻導入案内部材３０の導入案内斜面３０ａに落下衝突して籾殻導入案内部材３０は籾殻Ｃを上記穿入跡溝Ｓ及び上記縦口路Ｔに確実に導入落下案内することができ、さらに、上記籾殻導入案内部材３０に上記地表面Ｍと穿入跡溝Ｓの内側面とのなす開口角縁部Ｑを圧潰拡開して開口角縁部Ｑに拡開斜面部Ｑ１を形成可能な圧潰拡開部３１を設けてなるから、上記地表面Ｍと穿入跡溝Ｓの内側面とのなす開口角縁部Ｑは圧潰拡開部３１により圧潰拡開されて拡開斜面部Ｑ１に形成され、拡開斜面部Ｑ１の存在により籾殻Ｃを上記穿入跡溝Ｓ及び上記縦口路Ｔに確実に導入落下案内をすることができる。
【００３０】
又、この場合、図１０の如く、上記給送路部材２７は断面略半円弧状に形成されているから、断面略半円弧状の雨樋状に形成され、管状のものに比べ、籾殻Ｃの詰まり現象が抑制され、断面略半円弧状の落下給送路２７ａにより上記穿入跡溝Ｓ及び上記縦口路Ｔ内に確実に落下給送することができ、又、この場合、図１５、図１６の如く、上記籾殻導入案内部材３０は上記穿入跡溝Ｓ内に挿通可能な板厚の板材からなり、上記圧潰拡開部３１は進行方向後方位置に向かうに従って次第に上記拡開斜面部Ｑ１を拡開形成可能な勾配板面３１ａからなるので、上記圧潰拡開部３１により拡開斜面部Ｑ１を確実に形成することができ、拡開斜面部Ｑ１の存在により籾殻Ｃを上記穿入跡溝Ｓ及び上記縦口路Ｔに確実に導入落下案内することができる。
【００３１】
又、この場合、図３、図４、図５の如く、上記籾殻容器２６に上記給送路部材２７の落下給送路２７ａに連通する落下口部２６ｂを形成し、落下口部２６ｂを開閉調節可能な開閉調節機構２９を設けているから、開閉調節機構２９により落下口部２６ｂからの籾殻Ｃの給送、停止及び給送量の調節を行うことができ、上記穿入跡溝Ｓ及び上記縦口路Ｔ内への籾殻Ｃの落下給送量を調節することができ、走行機体１の作業進行速度、穿入跡溝Ｓ及び縦口路Ｔの大きさに対応することができ、又、この場合、上記籾殻容器２６内に籾殻Ｃを攪拌可能な攪拌部材２８を水平回転自在に設けているから、籾殻容器２６内の籾殻Ｃを落下口部２６ｂから給送路部材２７を介して上記穿入跡溝Ｓ及び上記縦口路Ｔ内へ円滑に落下させることができる。
【００３２】
この場合、上記穿入ビーム４の進行方向前方位置に地表面Ｍに予条溝Ｆを溝切可能な予溝切体２３を設けてなるから、予溝切体２３は連れ回り回転しつつ進行して地表面Ｍに予条溝Ｆを切り、予条溝Ｆの後から穿入ビーム４が進行方向に揺振動作しつつ穿入して穿入跡溝Ｓを形成するから、穿入跡溝Ｓの形成抵抗を低減することになり、穿入跡溝Ｓの形成作業性を向上することになる。
【００３３】
又、この場合、上記機枠３に圃場面を転動可能な転輪体２４・２４を高低調節自在に設け、この場合、上記機枠３の左右両側位置に取付アーム２４ａ・２４ａを高低調節機構２４ｂにより高低調節自在に設け、取付アーム２４ａ・２４ａに転輪体２４・２４を配置しているから、田面等の地表面Ｍに転輪体２４・２４を接地させることで機枠３の安定走行及び穿入跡溝Ｓの地表面Ｍからの形成高さの設定を図ることになる。
【００３４】
尚、本発明は上記の形態例に限られるものではなく、走行機体１、連結機構２、揺振機構５、拡張部材１４、拡張機構１５、籾殻給送機構２５、開閉調節機構２９、籾殻導入案内部材３０、圧潰拡開部３１の構造等は適宜変更して設計されるものである。
【００３５】
以上の如く、所期の目的を充分達成することができる。
【符号の説明】
【００３６】
Ｗ    圃場土中
Ｓ    穿入跡溝
Ｍ    地表面
Ｔ    縦口路
Ｃ    籾殻
Ｑ    開口角縁部
Ｑ１    拡開斜面部
１    走行機体
２    連結機構
３    機枠
４    穿入ビーム
５    揺振機構
１４    拡張部材
１５    拡張機構
２５    籾殻給送機構
２６    籾殻容器
２６ｂ    落下口部
２７    給送路部材
２７ａ    落下給送路
２８    攪拌部材
２９    開閉調節機構
３０    籾殻導入案内部材
３１    圧潰拡開部
３１ａ    勾配板面
【図１】
2019083785.tif 000003
【図２】
2019083785.tif 000004
【図３】
2019083785.tif 000005
【図４】
2019083785.tif 000006
【図５】
2019083785.tif 000007
【図６】
2019083785.tif 000008
【図７】
2019083785.tif 000009
【図８】
2019083785.tif 000010
【図９】
2019083785.tif 000011
【図１０】
2019083785.tif 000012
【図１１】
2019083785.tif 000013
【図１２】
2019083785.tif 000014
【図１３】
2019083785.tif 000015
【図１４】
2019083785.tif 000016
【図１５】
2019083785.tif 000017
【図１６】
2019083785.tif 000018
【図１７】
2019083785.tif 000019